(57)【要約】【課題】  換気装置が運転することができない状態等にある場合には、かかる状態にあるのに当該指示があることで報知し続けることを防止する。【解決手段】  調理器１０と、換気装置２０と、連携制御部４０、報知部５０とを備え、連携制御部は、調理器の調理器運転状態情報と、換気装置の風量状態情報および運転可否状態情報に基づいて換気装置制御部２２に送風機の風量を指示する換気制御システム１００を提供する。換気制御システム１００は、換気装置の検出部２５が送風機が運転可能でないことを検出した場合において、連携制御部が送風機の風量を指示した場合であっても、換気装置制御部２２は、該指示を無視することにより、報知部が使用者に報知を行わない。【選択図】  図２
2018071892.tif 000002
【特許請求の範囲】
【請求項１】
室内に設置された室内機器と、前記室内の空気を換気する換気装置と、連携制御部と、報知部とを含み、
前記室内機器は、前記室内機器の運転状態を前記連携制御部に伝達する室内機器伝達部を備え、
前記換気装置は、送風機と、前記送風機が運転可能な状態にあるか否かの運転可否状態を検出する検出部と、前記送風機の風量および前記報知部への指示を制御する換気装置制御部と、前記検出部が検出した前記運転可否状態を前記連携制御部に伝達する換気装置伝達部と、を備え、
前記連携制御部は、前記室内機器伝達部から伝達された室内機器運転状態情報と、前記換気装置伝達部から伝達された前記送風機の運転可否状態情報のいずれかまたはこれらを組合せた情報に基づいて、前記換気装置制御部に前記送風機の風量を指示し、
前記検出部が前記送風機が運転可能でないことを検出した場合において前記連携制御部が前記送風機の風量を指示した場合、前記報知部が使用者に視覚的および／または聴覚的な報知を行う換気制御システムであって、
前記検出部が前記送風機が運転可能でないことを検出した場合、前記換気装置制御部は、前記送風機の風量をゼロに制御し、前記換気装置伝達部は、前記運転可否状態情報として運転不可停止状態を前記連携制御部に伝達し、
前記連携制御部は、前記運転不可停止状態を伝達された場合、前記換気装置制御部に前記送風機の風量の指示を行わない、
換気制御システム。
【請求項２】
室内に設置された室内機器と、前記室内の空気を換気する換気装置と、連携制御部と、報知部とを含み、
前記室内機器は、前記室内機器の運転状態を前記連携制御部に伝達する室内機器伝達部を備え、
前記換気装置は、送風機と、前記送風機が運転可能な状態にあるか否かの運転可否状態を検出する検出部と、前記送風機の風量および前記報知部への指示を制御する換気装置制御部と、前記検出部が検出した前記運転可否状態を前記連携制御部に伝達する換気装置伝達部と、を備え、
前記連携制御部は、前記室内機器伝達部から伝達された室内機器運転状態情報と、前記換気装置伝達部から伝達された前記送風機の運転可否状態情報のいずれかまたはこれらを組合せた情報に基づいて、前記換気装置制御部に前記送風機の風量を指示し、
前記検出部が前記送風機が運転可能でないことを検出した場合において前記連携制御部が前記送風機の風量を指示した場合、前記報知部が使用者に視覚的および／または聴覚的な報知を行う換気制御システムであって、
前記検出部が前記送風機が運転可能でないことを検出した場合、前記連携制御部が前記換気装置制御部に前記送風機の風量の指示を行っても、前記換気装置制御部は、該指示を無視する、
換気制御システム。
【請求項３】
前記換気装置は、整流板をさらに備え、
前記検出部が、前記整流板が正規の位置に取り付けられていないことを検出した場合は、前記運転可否状態は、運転不可停止状態とすることを特徴とする請求項１または２に記載の換気制御システム。
【請求項４】
前記換気装置は、前記送風機の風量を手動で指示操作するための風量操作部をさらに備え、
前記検出部が、前記風量操作部に前記送風機の風量をゼロに固定する操作がなされたことを検出した場合は、前記運転可否状態は、運転不可停止状態とすることを特徴とする請求項１乃至３のいずれかに記載の換気制御システム。
【発明の詳細な説明】
【技術分野】
【０００１】
本発明は、換気制御システムに関する。
【背景技術】
【０００２】
従来から、調理器から発生する油煙等を検知して、油煙等を含む空気を換気するために送風機の風量を制御する換気制御システムが知られている。たとえば、特許文献１は、手動運転状態を決定した後は、使用者の意図に反して調理用コンロからの信号を受信し、自動運転に変更されることがない換気装置を開示する。この換気装置は、送風機を設けた排出装置に調理用コンロの運転または停止の信号を受信するように設けた受信部が受信した信号に基づいて、排出装置に設けた送風機の運転を制御する。また、この換気装置は、手動による操作で送風機の運転を変更できるスイッチ操作部を設け、手動操作で運転したときには、自動運転を行わず手動運転を優先して行うことにより、使用者の意図に反して運転されることのない換気装置を提供する。
【先行技術文献】
【特許文献】
【０００３】
【特許文献１】特開２００３−２９４２８３号公報
【発明の概要】
【発明が解決しようとする課題】
【０００４】
上述した従来の換気装置に対して、火力の状態や空気質の状態などの客観情報に基づく運転と使用者の意思に沿った運転とを適切に切り替えて利便性を向上させた改良技術において、客観情報や使用者の意思に基づくが故に、その時の換気装置の状態を踏まえずに運転の指示を行い、その指示が実行されない旨を報知音等で報知し続けるという問題があった。
【０００５】
そこで、本発明は、換気装置が運転することができない状態や運転することが適切ではない状態にある場合には、運転の指示を出さないまたは運転の指示を受け付けないことで、かかる状態にあるのに当該指示があることで報知し続けることを防止する換気制御システムを提供するものである。
【課題を解決するための手段】
【０００６】
上記課題を解決するために、室内に設置された室内機器と、室内の空気を換気する換気装置と、連携制御部と、報知部とを含み、室内機器は、室内機器の運転状態を連携制御部に伝達する室内機器伝達部を備え、換気装置は、送風機と、送風機が運転可能な状態にあるか否かの運転可否状態を検出する検出部と、送風機の風量および前記報知部への指示を制御する換気装置制御部と、検出部が検出した運転可否状態を連携制御部に伝達する換気装置伝達部と、を備え、連携制御部は、室内機器伝達部から伝達された室内機器運転状態情報と、換気装置伝達部から伝達された送風機の運転可否状態情報のいずれかまたはこれらを組合せた情報に基づいて、換気装置制御部に送風機の風量を指示し、検出部が送風機が運転可能でないことを検出した場合において連携制御部が送風機の風量を指示した場合、報知部が使用者に視覚的および／または聴覚的な報知を行う換気制御システムであって、検出部が送風機が運転可能でないことを検出した場合、換気装置制御部は、送風機の風量をゼロに制御し、換気装置伝達部は、運転可否状態情報として運転不可停止状態を連携制御部に伝達し、連携制御部は、運転不可停止状態を伝達された場合、換気装置制御部に送風機の風量の指示を行わない換気制御システムが提供される。
これによれば、検出部が送風機が運転可能でないことを検出した場合、連携制御部は、換気装置制御部に送風機の風量の指示を行わないことで、換気装置が運転することができない状態や運転することが適切ではない状態にある場合には、運転の指示を出さないことにより、かかる状態にあるのに当該指示があることで報知し続けることを防止する換気制御システムを提供することができる。
【０００７】
上記課題を解決するために、室内に設置された室内機器と、室内の空気を換気する換気装置と、連携制御部と、報知部とを含み、室内機器は、室内機器の運転状態を連携制御部に伝達する室内機器伝達部を備え、換気装置は、送風機と、送風機が運転可能な状態にあるか否かの運転可否状態を検出する検出部と、送風機の風量および前記報知部への指示を制御する換気装置制御部と、検出部が検出した運転可否状態を連携制御部に伝達する換気装置伝達部と、を備え、連携制御部は、室内機器伝達部から伝達された室内機器運転状態情報と、換気装置伝達部から伝達された送風機の運転可否状態情報のいずれかまたはこれらを組合せた情報に基づいて、換気装置制御部に送風機の風量を指示し、検出部が送風機が運転可能でないことを検出した場合において連携制御部が送風機の風量を指示した場合、報知部が使用者に視覚的および／または聴覚的な報知を行う換気制御システムであって、検出部が送風機が運転可能でないことを検出した場合、連携制御部が換気装置制御部に送風機の風量の指示を行っても、換気装置制御部は、その指示を無視する換気制御システムが提供される。
これによれば、検出部が送風機が運転可能でないことを検出した場合、換気装置制御部は、連携制御部から送風機の風量の指示があってもその指示を無視することで、換気装置が運転することができない状態や運転することが適切ではない状態にある場合には、運転の指示を受け付けないことにより、かかる状態にあるのに当該指示があることで報知し続けることを防止する換気制御システムを提供することができる。
【０００８】
さらに、換気装置は、整流板をさらに備え、検出部が、整流板が正規の位置に取り付けられていないことを検出した場合は、運転可否状態は、運転不可停止状態とすることを特徴としてもよい。
これによれば、整流板が取り外されているなど正規の位置に取り付けられていない場合を、換気装置が運転することができない状態であるとすることで、かかる状態にあるのに運転指示があることで報知し続けることを防止できる。
【０００９】
さらに、換気装置は、送風機の風量を手動で指示操作するための風量操作部をさらに備え、検出部が、風量操作部に送風機の風量をゼロに固定する操作がなされたことを検出した場合は、運転可否状態は、運転不可停止状態とすることを特徴としてもよい。
これによれば、使用者が換気装置を掃除する際など送風機が運転することを意識的に停止している場合を、運転することが適切ではない状態であるとすることで、かかる状態にあるのに運転指示があることで報知し続けることを防止できる。
【発明の効果】
【００１０】
以上説明したように、本発明によれば、換気装置が運転することができない状態や運転することが適切ではない状態にある場合には、運転の指示を出さないまたは運転の指示を受け付けないことで、かかる状態にあるのに当該指示があることで報知し続けることを防止する換気制御システムを提供することができる。
【図面の簡単な説明】
【００１１】
【図１】本発明に係る第一実施例の換気制御システムが設置された室内の立面図。
【図２】本発明に係る第一実施例の換気制御システムのブロック図。
【図３】本発明に係る第一実施例の換気制御システムにおける基本的な動作を示す説明図。
【図４】本発明に係る第一実施例の換気制御システムにおける報知継続を防止ための動作を示す説明図。
【発明を実施するための形態】
【００１２】
以下では、図面を参照して、各実施例について説明する。
＜第一実施例＞
図１および図２を参照して、本実施例に係る換気制御システム１００について説明する。換気制御システム１００は、室内ＲＭに設置された室内機器である調理器１０と、室内ＲＭの空気を換気する換気装置２０と、室内ＲＭの空気の質を検知する検知器３０と、検知器３０に設けられる連携制御部４０と、換気装置２０に設けられる報知部５０とを備える。室内ＲＭは、マンションや戸建てなど住宅におけるキッチン（台所）であるが、飲食店の厨房などであってもよい。なお、本明細書では、室内機器は調理器１０として説明するが、これに限定されず、たとえば、室内機器は、ガスストーブなどの暖房機器、キッチンに設置されるガス湯沸かし器などであってもよい。
【００１３】
調理器１０は、使用者がなべやフライパンを使用し調理を行うための機器であり、調理のため調理器操作部１４を操作してなべ等を加熱すると、調理器１０の上方や周囲に熱、水分、油分、燃焼ガス等を発生させる。換気装置２０は、調理器１０の上方に設けられ、風量操作部２４を操作して、調理器１０が発生させた油分等を捕集し、屋外へ排気することにより、室内ＲＭの空気を換気する。検知器３０は、加熱された空気が滞留することが多い調理器近傍の壁面の天井付近に設けられ、室内ＲＭの空気質、たとえば、空気の温度、湿度、臭気、油分を含む油煙などの汚染物質、燃焼排ガス、未燃焼ガスなどを検知する検知部３１を有する。
【００１４】
したがって、検知器３０は、調理器１０の使用により、空気の温度や湿度の上昇、臭気の増加、油煙などの汚染物質、燃焼排ガス、未燃焼ガスなどの増加を検知したり、換気装置２０の使用により、空気の温度や湿度の下降、臭気の減少、油煙などの汚染物質、燃焼排ガス、未燃焼ガスなどの減少を検知したりする。検知器３０は、音を発する通報部（図示せず）を備えて、有害ガスなどを検知した場合には警報を鳴らす警報機であってもよい。連携制御部４０は、調理器１０、換気装置２０、および検知器３０の各機器が上述したように空気質の観点から関連しているので、各機器を連携させるために制御を行う。本実施例では、連携制御部４０は、検知器３０に備えられるが、これに特に限定されることはなく、調理器１０または換気装置２０に備えられてもよいし、これ以外の機器や、または独立に備えられてもよい。
【００１５】
調理器１０は、なべ等を加熱する加熱部１１と、加熱部１１の火力を使用者が調節する調理器操作部１４と、調理器操作部１４の指示に基づき加熱部１１の火力を制御する調理器制御部１２と、加熱部１１の火力の状態を含む調理器運転状態を連携制御部４０に伝達する調理器伝達部（室内機器伝達部）１３とを備える。調理器操作部１４は、加熱部１１におけるゼロから最大出力までの間の火力を多段階または無段階で調節可能に構成されている。たとえば、火力を多段階で調節できる場合、調理器操作部１４は、４つの押しボタンなどで構成されて、加熱部１１の火力を、「消火」（火力がゼロ）、「弱」、「中」、「強」（火力が最大出力）の４段階で調節できるようになっている。また、火力を無段階で調節できる場合、調理器操作部１４は、回転摘みなどで構成されて、加熱部１１の火力を回転摘みの回転角度に応じて火力を調節できるようになっている。なお、調理器運転状態には、加熱部１１の火力の状態以外に、調理器において事前設定された調理段階などの状態が含まれる。
【００１６】
調理器制御部１２は、調理器操作部１４が多段階の場合、「消火」の指示があれば火力をゼロにする。すなわち、調理器制御部１２は、火力のエネルギー源がガスであればガスの出力をなくし、電気であれば電力をゼロとするように制御する。また、調理器制御部１２は、「中」の指示であれば、最大出力の半分程度の火力を出力できるように加熱部１１の火力を制御する。さらに、調理器制御部１２は、調理器操作部１４が無段階の場合、たとえば回転摘みの回転角度に応じて火力を制御する。
【００１７】
調理器伝達部１３は、調理器操作部１４で指示され調理器制御部１２で制御された加熱部１１の火力などについての状態情報を連携制御部４０に伝達するべく、他の機器との間で通信を行う。調理器伝達部１３の通信の方法は、他の機器の通信方法と共通していれば、特に限定されない。たとえば、有線通信でもよいし無線通信であってもよい。無線通信の場合、Ｂｌｕｅｔｏｏｔｈ（登録商標）による通信、赤外線による通信、Ｗｉｆｉによる通信等であってもよい。
【００１８】
換気装置２０は、送風機２１と、送風機２１の風量および報知部５０への指示を制御する換気装置制御部２２と、送風機２１が運転可能な状態にあるか否かの運転可否状態を検出する検出部２５と、使用者に視覚的および／または聴覚的な報知を行う報知部５０と、送風機２１の風量の状態を連携制御部４０に伝達すると共に、検出部２５が検出した運転可否状態を連携制御部４０に伝達する換気装置伝達部２３と、送風機２１の風量を手動で指示操作するための風量操作部２４と、を備える。送風機２１は、油分等を含む空気を吸引し、屋外へ排気するための原動力となる。
【００１９】
風量操作部２４は、送風機２１におけるゼロから最大出力までの間の風量を多段階で調節可能に構成されている。たとえば、風量操作部２４は、４つの押しボタンなどで構成されて、送風機２１の風量を、「停止」（風量がゼロ）、「弱」、「中」、「強」（風量が最大出力）の４段階で調節できるようになっている。また、風量操作部２４は、使用者が特定の操作を行うことでロックがかかるように構成されている。たとえば、使用者がボタンで構成された風量操作部２４の特定のボタン（例えば「停止」ボタン）を長押しすることで、風量操作部２４はロックがかかり、使用者がそのロックを解除しない限り、風量がゼロのままに固定される。使用者が換気装置２０を清掃する時などに、誤って風量操作部２４を操作し運転が開始されることを回避するための機能である。また、換気装置２０は、使用者の風量操作部２４に対する操作により「中」の風量が指示された場合は、換気装置制御部２２は「中」の風量が出力できるように送風機２１を制御し、「中」で運転されている旨を風量状態情報として連携制御部４０へ伝達する。
【００２０】
検出部２５は、送風機２１を稼働させて換気装置２０が運転状態になっていいか否かの運転可否状態を検出する。たとえば、換気装置２０は、調理器１０で発生する油煙等を含む空気の捕集効率を上げるための整流板２６を備えているが、整流板２６が清掃などのために取り外されている場合は、換気装置２０を運転状態にすることは安全上も好ましくないので、運転することができない状態である。したがって、検出部２５は、整流板２６が運転状態になってもよい正規の位置に取り付けられているか否かを検出する。
【００２１】
本実施例では、検出部２５は、整流板２６が正規の位置に取り付けられている否かを検出するが、これに限定されないことは言うまでもない。たとえば、検出部２５は、油煙を含む空気から油脂分を取り除くフィルタが正規の位置に取り付けられているか否か、その油脂分を回収するための油溜りが正規の位置に取り付けられているか否か、送風機に内蔵される羽根車が正規の位置に取り付けられているか否かなど、送風機２１が運転可能な状態にあるか否かの運転可否状態を検出することができる。また、検出部２５は、風量操作部２４においてロックがかけられ風量がゼロに固定された状態か否かも運転可能な状態にあるか否かとして検出してもよい。整流板２６が正規の位置に取り付けられていない場合は、換気装置２０が運転することができない状態の１つであり、風量操作部２４において風量がゼロに固定された場合は、運転することが適切ではない状態にある場合の１つである。
【００２２】
報知部５０は、検出部２５が送風機２１が運転可能でないことを検出した場合において連携制御部４０が送風機２１の風量を指示した場合、使用者に視覚的および／または聴覚的な報知を行う。視覚的な報知は、発光ダイオード等の発光する部材を備えて点滅させてもよい。聴覚的な報知は、ブザー等の鳴動する部材を備えて鳴動させてもよい。本実施例では、報知部５０は、換気装置２０に備えられ、換気装置制御部２２により報知の指示が直接行われるが、これに特に限定されることはなく、検知器３０または調理器１０に備えられてもよいし、これ以外の機器や、または独立に備えられてもよい。報知部５０が、調理器１０または検知器３０に備えられる場合、報知部５０は、それぞれの伝達部（調理器伝達部１３または検知器伝達部３３）を経由して通信し、換気装置伝達部２３から検出部２５が送風機２１が運転可能でないことを検出したことを取得する。また、報知部５０が、調理器１０、換気装置２０、検知器３０のいずれにも備えられず、独立して設けられる場合には、報知部５０は、自身で他の機器の伝達部と通信できるように伝達部を備えた上で、換気装置伝達部２３から検出部２５が送風機２１が運転可能でないことを検出したことを取得する。
【００２３】
換気装置制御部２２は、「停止」の指示があれば風量をゼロにする。すなわち、換気装置制御部２２は、送風機２１への通電を行わないように制御する。また、換気装置制御部２２は、「強」の指示であれば、最大風量を出力できるように送風機２１へ最大電力を供給するように制御する。また、換気装置制御部２２は、風量操作部２４においてロックがかけられた場合、風量をゼロ以外の風量にする操作がなされても無視して、風量ゼロすなわち送風機の停止の状態を維持する。
【００２４】
換気装置伝達部２３は、換気装置制御部２２で制御された送風機２１の風量についての状態情報を連携制御部４０に伝達するべく、他の機器との間で通信を行う。換気装置伝達部２３の通信の方法は、他の機器の通信方法と共通していれば、特に限定されない。また、本実施例では、連携制御部４０は検知器３０内に設けられているので、換気装置伝達部２３は、検出部２５が検出した運転可否状態を連携制御部４０に伝達する。なお、報知部５０が換気装置２０以外に設けられている場合には、換気装置伝達部２３は、検出部２５が検出した運転可否状態を連携制御部４０に加え、報知部５０にも伝達する。
【００２５】
検知器３０は、室内ＲＭの空気の質を検知する検知部３１と、検知部３１で検知した空気の質をランク分けする検知器制御部３２と、検知部３１が検知した空気の質（空気の質の情報自体であってもよいし、検知器制御部３２がランク分けした空気の質のランクであってもよい。以下これらを空気質情報という。）を連携制御部４０に伝達する検知器伝達部３３と、を備える。検知部３１は、空気の温度、湿度、臭気、油分を含む油煙などの汚染物質、燃焼排ガス、未燃焼ガスなどを検知するセンサを備える。
【００２６】
検知器制御部３２は、検知部３１が検知した室内ＲＭの空気質を所定の基準に照らしてランク分けする。たとえば、検知器制御部３２は、室内ＲＭの空気質を、「正常」、「やや悪い」、「悪い」、「非常に悪い」の４つにランク分けする。たとえば、室内ＲＭの空気の温度が２５°Ｃ、湿度が５０％であり、油分等の汚染物質がない場合、検知器制御部３２は、室内ＲＭの空気質は「正常」のランクにランク分けする。また、たとえば、検知部３１が検知した室内ＲＭの空気質が悪化した場合は、検知器制御部３２は、悪化の程度に応じて、室内ＲＭの空気質が「やや悪い」、「悪い」、「非常に悪い」のいずれかのランクにランク分けする。
【００２７】
検知器伝達部３３は、空気質情報を連携制御部４０に伝達するべく、他の機器との間で通信を行う。換気装置伝達部２３の通信の方法は、他の機器の通信方法と共通していれば、特に限定されない。なお、本実施例の場合、調理器１０や換気装置２０との伝達のためには共通な通信方法を行う必要があるが、連携制御部４０は検知器３０に設けられているので、空気質情報を連携制御部４０に伝達するためのローカルな通信方法であってもよい。
【００２８】
連携制御部４０は、本実施例の場合、調理器伝達部１３から検知器伝達部３３を経由して伝達された加熱部１１の調理器運転状態情報と、換気装置伝達部２３から検知器伝達部３３を経由して伝達された送風機２１の風量状態情報および運転可否状態情報と、検知器伝達部３３から伝達された空気質情報とを取得する。たとえば、連携制御部４０が調理器１０に備えられる場合、連携制御部４０は、調理器伝達部１３から伝達された加熱部１１の調理器運転状態情報と、換気装置伝達部２３から調理器伝達部１３を経由して伝達された送風機２１の風量状態情報と、検知器伝達部３３から調理器伝達部１３を経由して伝達された空気質情報とを取得する。
【００２９】
また、連携制御部４０が、調理器１０、換気装置２０、検知器３０のいずれにも備えられず、独立して設けられる場合には、連携制御部４０は、自身で他の機器の伝達部と通信できるように伝達部を備えた上で、各機器の伝達部からそれぞれの調理器運転状態情報、風量状態情報および運転可否状態情報、空気質情報を取得する。また、連携制御部４０は、調理器運転状態情報、風量状態情報および運転可否状態情報、空気質情報のすべてではなく、必要に応じてこれらの一部の情報だけを取得してもよい。
【００３０】
連携制御部４０は、これらの情報に基づいて、図３に述べる方法で、換気装置制御部２２に送風機２１の風量を指示する。本図は、連携制御部４０が、調理器運転状態情報および空気質情報を利用して、調理器１０、換気装置２０、および検知器３０が互いに連携する状態における基本的な動作を示す。検知器３０は、室内ＲＭの空気質を検知し、検知器制御部３２は、検知した空気質をランク分けして、「正常」や「異常」などの旨の情報を空気質情報として連携制御部４０に伝達する。そして、さらに連携制御部４０は、伝達された空気質が「正常」や「異常」である旨の情報またはそれに基づく必要な風量を換気装置制御部２２に伝達し、指示する。
【００３１】
たとえば、検知器３０が特に「異常」を検知せず、「正常」の空気質情報を連携制御部４０に伝達していた際に、検知器３０が臭気の「異常」を検知した場合、検知器３０は「異常」の空気質情報を連携制御部４０に伝達すると共に、連携制御部４０は、「異常」である旨の情報またはその「異常」のレベルに基づく必要な風量を換気装置制御部２２に伝達し、指示する。そうすると、換気装置制御部２２は、送風機２１をその指示された風量を出力するように制御する。換気装置２０が指示された風量で運転したことにより臭気が屋外に排気されると、検知器３０は、その空気質を検知して「正常」にランク分けし、空気質情報として連携制御部４０に伝達する。そして、連携制御部４０は、伝達された空気質が「正常」である旨の情報またはそれに基づいて風量が不要（風量がゼロ）の停止指示を換気装置制御部２２に行う。そうすると、換気装置制御部２２は、送風機２１を停止する。
【００３２】
また、調理器１０は、「消火」の状態から加熱部１１が点火されて「中」の火力となった場合、火力が「中」である旨の調理器運転状態情報を連携制御部４０に伝達する。そして、さらに連携制御部４０は、火力が「中」である旨の情報またはそれに対応する風量である「中」の風量の情報を換気装置制御部２２に伝達、指示する。さらに、調理器１０は、「中」の状態から「強」の火力となった場合、火力が「強」である旨の調理器運転状態情報を連携制御部４０に伝達する。そして、さらに連携制御部４０は、火力が「強」である旨の情報またはそれに対応する風量である「強」の風量の情報を換気装置制御部２２に伝達、指示する。そして、調理器１０は、「強」の状態から「消火」された場合、火力がゼロである旨の調理器運転状態情報を連携制御部４０に伝達する。そして、連携制御部４０は、伝達された調理器運転状態情報に基づく風量であるゼロの風量（「停止」）を換気装置制御部２２に伝達、指示する。
【００３３】
換気装置２０に設けられた検出部２５は、整流板２６等が正規の位置に取り付けられているか否かを検出する。検出部２５は、そのいずれかの状態である運転可否状態を検出すると、換気装置制御部２２および換気装置制御部２２を介して換気装置伝達部２３へその運転可否状態を伝達し、換気装置伝達部２３は、その運転可否状態を連携制御部４０へ、換気装置制御部２２は報知部５０へ伝達する。運転可否状態を受け取った連携制御部４０は、換気装置制御部２２へ運転可否状態に基づく風量指示を行う。たとえば、運転可否状態が運転できない状態で停止している状態（運転不可停止状態）である場合、連携制御部４０は、換気装置制御部２２に対して停止指示を行う。このように、連携制御部４０は、換気装置伝達部２３から伝達された送風機２１の運転可否状態情報に基づいて、換気装置制御部２２に送風機２１の風量を指示する。
【００３４】
このような換気制御システム１００において、たとえば、検出部２５が整流板２６が取り外されたり風量操作部２４において風量がゼロに固定されてロックされたりしたことを検出すると、検出部２５は、運転不可停止状態にあることを換気装置制御部２２や換気装置伝達部２３を介して連携制御部４０へ伝達する。この場合において、たとえば、使用者が調理器１０を点火すると、調理運転状態情報が連携制御部４０へ伝達されて、連携制御部４０は、「中」などの調理運転状態情報に基づいた風量の情報を換気装置制御部２２に伝達、指示する。しかし、換気装置制御部２２は、整流板２６が取り外され運転できない状態であることを知っているので、運転できないことを知らせるために報知部５０へその旨を伝達する。その伝達を受けた報知部５０は、調理器１０を点火したが換気装置２０は運転していないことを使用者に知らせるために報知を継続する。
【００３５】
また、同様に、検出部２５が運転不可停止状態にあることを連携制御部４０へ伝達した場合において、検知器３０が臭気の「異常」を検知すると、検知器３０は「異常」の空気質情報を連携制御部４０に伝達する。そして、連携制御部４０は、その「異常」のレベルに基づく必要な風量を換気装置制御部２２に伝達し、指示する。しかし、換気装置制御部２２は、運転できないことを知らせるために報知部５０へその旨を伝達する。その伝達を受けた報知部５０は、検知部３０が「異常」を検知したが換気装置２０は運転していないことを使用者に知らせるために報知を継続する。
【００３６】
かかる報知の継続は、使用者にとっては煩わしい場合がある。図４を参照し、かかる報知継続を防止するための動作について説明する。検出部２５が整流板２６が取り外されたり風量操作部２４において風量がゼロに固定されてロックされたりしたことを検出すると、換気装置制御部２２は、送風機２１の風量をゼロに制御すると共に、換気装置伝達部２３は、検出部２５からの運転不可停止状態の情報を連携制御部４０へ伝達する。この場合において、たとえば、使用者が調理器１０を点火したり、検知器３０が「異常」を検知したりすると、調理器制御部１２は、調理器伝達部１３を介して調理運転状態情報を連携制御部４０へ伝達する。しかし、連携制御部４０は、運転不可停止状態を伝達されているので、換気装置制御部２２に送風機２１の風量の指示を行わない。
【００３７】
このように、検出部２５が送風機２１が運転可能でないことを検出した場合、連携制御部４０は、換気装置制御部２２に送風機２１の風量の指示を行わないことで、換気装置２０が運転することができない状態や運転することが適切ではない状態にある場合には、運転の指示を出さないことにより、かかる状態にあるのに当該指示があることで報知し続けることを防止する換気制御システム１００を提供することができる。
【００３８】
また、検出部２５が運転ができない状態を検出し、換気装置伝達部２３が運転不可停止状態の情報を連携制御部４０へ伝達した場合において、調理器制御部１２が調理運転状態情報を連携制御部４０へ伝達すると、連携制御部４０は、「中」などの調理運転状態情報に基づいた風量の情報を換気装置制御部２２に伝達、指示してもよい。また、換気装置伝達部２３が運転不可停止状態の情報を連携制御部４０へ伝達した場合において、検知器３０が「異常」を検知すると、連携制御部４０は、「異常」などの空気質情報に基づいた風量の情報を換気装置制御部２２に伝達、指示してもよい。しかし、かかる場合であっても、換気装置制御部２２は、その指示を無視するように動作してもよい。
【００３９】
このように、検出部２５が送風機２１が運転可能でないことを検出した場合、換気装置制御部２２は、連携制御部４０から送風機２１の風量の指示があってもその指示を無視することで、換気装置２０が運転することができない状態や運転することが適切ではない状態にある場合には、運転の指示を受け付けないことにより、かかる状態にあるのに当該指示があることで報知し続けることを防止する換気制御システム１００を提供することができる。
【００４０】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、適用例、その他の詳細な構成において、当業者が様々な変形を加えることができるものである。
【符号の説明】
【００４１】
１００    換気制御システム
１０      調理器（室内機器）
１１      加熱部
１２      調理器制御部
１３      調理器伝達部（室内機器伝達部）
１４      調理器操作部
２０      換気装置
２１      送風機
２２      換気装置制御部
２３      換気装置伝達部
２４      風量操作部
２５      検出部
２６      整流板
３０      検知器
３１      検知部
３２      検知器制御部
３３      検知器伝達部
４０      連携制御部
５０      報知部
ＲＭ      室内
【図１】
2018071892.tif 000003
【図２】
2018071892.tif 000004
【図３】
2018071892.tif 000005
【図４】
2018071892.tif 000006